(57)【要約】  【課題】  竹炭の粉末、破片を含有する丸棒を挿入する収納袋を二枚の加工綿間に簡易に作成し、指圧効果の優れた寝具を提供すること    【解決手段】天然綿、合成綿からなるシート加工綿２,３を二枚重ねして、その両面に表地・裏地の布地を張り合わせた後、所定の間隔で蛇行させて縫糸でキルティングして縫い合わせて仕切り（縫目４）を作り、前記シート加工綿の長手方向の側面に交互に開口部を設けた複数の収納袋６を形成した蒲団本体１と、通気性の天然繊維、合成繊維からなる布地によって形成した円筒状の袋内に木炭、竹炭の破片、粉末を充填した丸棒７と、を備え、前記蒲団本体１の側面に形成された各収納袋６の片側に開口した前記開口部５から前記丸棒７を挿入し、シート加工綿の表地表面にほぼ半円の凸部を並列して多数形成した寝具の構成である。【選択図】          図１
0003103486.tif 000002
【実用新案登録請求の範囲】
【請求項１】
通気性の紙繊維、不織布、織物の天然繊維、合成繊維からなる布地によって形成した円筒状の袋内に竹炭、木炭の粉末、破片を充填した丸棒を天然綿、合成綿からなる表綿層と裏綿層の間に多数並列に配設し、この表綿層の表面に多数の凸部を形成したことを特徴とする寝具。
【請求項２】
天然綿、合成綿からなるシート加工綿を二枚重ねして、その両面に表地・裏地を張り合わせた後、所定の間隔で蛇行させて縫糸でキルティングしてシーと加工綿の表裏を縫い合わせ、前記シート加工綿の長手方向の側面に交互に開口部を設けた複数の収納袋を形成した蒲団本体と、通気性の紙繊維、不織布、織物の天然繊維、合成繊維からなる布地によって形成した円筒状の袋内に竹炭、木炭の破片、粉末を充填した丸棒と、を備え、前記蒲団本体の両側面に形成された各収納袋の前記開口部から前記丸棒を挿入し、シート加工綿の表地表面にほぼ半円の凸部を並列して多数形成したことを特徴とする寝具。
【請求項３】
天然綿、合成綿からなるシート加工綿を二枚重ねして、その両面に表地・裏地を張り合わせた後、所定の間隔で蛇行させて縫い糸でキルティングしてシート加工綿の表裏を縫い合わせ、前記シート加工綿の長手方向の側面に交互に開口部を設けた複数の収納袋を形成した蒲団本体と、通気性の紙繊維、不織布、織物の天然繊維、合成繊維からなる布地によって形成した円筒状の袋内に竹炭、木炭の破片、粉末を充填した丸棒と、を備え、前記蒲団本体の両側面に形成された各収納袋の前記開口部から前記丸棒を挿入し、シート加工綿の表地表面にほぼ半円の凸部を並列して多数形成してなることを特徴とするベッド用寝具。
【請求項４】
天然綿、合成綿からなるシート加工綿を二枚重ねして、その両面に表地・裏地を張り合わせた後、所定の間隔で蛇行させて縫い糸でキルティングしてシート加工綿を縫い合わせ、前記シート加工綿の長手方向の側面に交互に開口部を設けた複数の収納袋を形成した蒲団本体と、通気性の紙繊維、不織布、織物の天然繊維、合成繊維からなる布地によって形成した円筒状の袋内に竹炭、木炭の破片、粉末を充填した丸棒と、を備え、前記蒲団本体の両側面に形成された各収納袋の前記開口部から前記丸棒を挿入し、シート加工綿の表地表面にほぼ半円の凸部を並列して多数形成したことを特徴とする敷蒲団。
【考案の詳細な説明】
【技術分野】
【０００１】
この考案は、睡眠中に指圧効果があり、吸湿性に優れ、マイナスイオンによる癒し効果を発揮する寝具に関する。
【背景技術】
【０００２】
一般に敷き蒲団は綿、羊毛、羽毛などを充填材料として生地袋内に充填したものが普通である。このような天然綿、合成綿などのみで形成されたものでは健康的に満足するものではなかった。そのため古くから、これら綿の中に木炭などの種々のものを充填分散したり、その充填物の形状をいろいろ工夫したものが多く提案されている。
例えば、上布地、不織布、綿、硬質ポリウレタンフオームとを重ね合わせて縫い合わせ、上布地と不織布との間に、袋状の空間形成して、この空間に充填材を充填した寝具が特開２０００−１５２８５３号公報(特許文献１)に記載されている。マットとして、袋状の小袋を並列に配列し、この小袋内に真菰を充填したものが特開２００３−４７５４０号公報（特許文献２）で知られている。また、円筒状の袋内に椰子などの天然繊維を充填した丸棒を多数並べて、全体を布地で被覆した敷物が実開昭６１−７３２５９号公報（特許文献３）に開示されている。
【０００３】
更に、炭入りマットとして実開平７−４４２８０号公報(特許文献４)には複数の細長袋を形成し、この細長袋内に炭、活性炭、炭素セラミックス、電気石などをつめた、円筒形に形成したユニットを組み合わせた健康マットが開示されている。実用新案登録第３０２８５４５号公報（特許文献５）には、木炭などを充填した小袋を材倉（横長帯）に入れ、この材倉を内装具（円筒状に形成した）内に着脱自在に挿入し、この内装具を装入自在にしたマットが知られている。また、通気性のシートから作られた小袋内に備長炭などの木炭を収納し、この小袋を上蒲団と下蒲団との間に多数配列して寝具が実用新案登録第３０３５１３２号公報（特許文献６）に記載されている。その他これら特許文献に類似したものが数多く提案されている。
【０００４】
【特許文献１】特開２０００−１５２８５３号公報第１頁
【特許文献２】特開２００３−４７５４０号公報第１頁
【特許文献３】実開昭６１−７３２５９号公報
【特許文献４】実開平７−４４２８０号公報
【特許文献５】実用新案登録第３０２８５４５号公報
【特許文献６】実用新案登録第３０３５１３２号公報
【０００５】
特許文献１においては、上布地と綿層又は不織布との間に隙間を形成し、この隙間（袋）内に包装炭粒体が充填するとともに下布地との間に芯体として硬質ポリウレタンフォームを配置したもので、多数の不織布層を有する全体を複数層で形成したものである。特許文献２のマットは平行に縫目を単線（複線）によって所定の幅で複数縫いつけ、両側に開口させた筒を形成し、この中に真菰の粉末を充填し、両端を縫い付けて密閉したものであり、平行に畝を形成してある。このように真菰を充填した袋を並列したものである。従って、充填物を入れた後密封するので、メンテが面倒である。特許文献３は天然繊維を充填した円筒を多数並列に配列して全体を布地で被覆したものであり、蒲団綿の代わりに椰子など天然繊維を使用する敷物である。従って、硬質の凹凸ができない。
【０００６】
特許文献４は炭入りマットとして、炭を充填した円筒状の筒を４〜５本並列に並べて大きな袋に収納した物をつなぎ合わせて蒲団状の敷物を形成するものであり、縫目を形成することなく、大きな袋内に小袋を挿入したものであり、大袋内に重ならないように並列に配置するのが困難であった。その上、大袋を連結する連結具が必要である。特許文献５の寝具類は木炭などの消臭剤を入れた方形状の小袋を多数連結して形成した内装具を二枚の通気性のある不織布などのシートを所定間隔で平行に仕切りを形成するようにヒート接着して収納部を形成し、両側端に形成された開口部から前記連結した小袋（消臭材入り）を挿入してなるものであり、表面に凹凸を形成するものではないから指圧効果は期待できない。特許文献６の敷き蒲団は表蒲団、と下蒲団とからなり、下蒲団地の表面に備長炭入り小袋を一列に多数配列し、この表面に表蒲団を合わせ重ねて接着したものであるが、小さな小袋を多数並べて縫いつけ、又は接着し、この下蒲団地に被覆すように重ねるのであり、小袋の配列作業が面倒であった。
【考案の開示】
【考案が解決しようとする課題】
【０００７】
特許文献１〜２に記載されるものは、合成綿などの綿の中に木炭を平面的に蒲団の綿内に分散したものである。また、特許文献４に記載される考案は、セラミックなどによって表面を被覆し、その内部に硬質性のウレタン樹脂からなる凹凸面を有するものを敷きつめてなるものであるが、竹炭に比較してこれらは十分なる癒し効果が得られない。
本考案の課題は、簡易な構成で十分なる癒し効果が発揮できる寝具を提供するものである
本考案の課題は、木炭や竹炭の粉末、破片を含有する丸棒を表面に多数配列することにより指圧効果の優れた寝具を提供することである。
【課題を解決するための手段】
【０００８】
この考案の前記課題は、通気性の紙繊維、不織布、織物の天然繊維、合成繊維からなる布地によって形成した円筒状の袋内に木炭、竹炭の粉末、破片を充填した径１〜４ｃｍの丸棒を天然綿、合成綿からなる表綿層と裏綿層の間に多数並列に配設し、この表綿層の表面に多数の凸部を形成した寝具の構成によって達成できる。
【０００９】
本考案の前記課題は、天然綿、合成綿からなるシート加工綿を二枚重ねして、その両面に表地・裏地を張り合わせた後、所定の間隔で蛇行させて縫糸でキルティングして縫い合わせ、前記シート加工綿の長手方向の側面に交互に開口部を設けた複数の収納袋を形成した蒲団本体と、通気性の紙繊維、不織布、織物の天然繊維、合成繊維からなる布地によって形成した円筒状の袋内に木炭、竹炭の破片、粉末を充填した丸棒と、を備え、前記蒲団本体の両側面に形成された各収納袋の前記開口部から前記丸棒を挿入し、シート加工綿の表地表面にほぼ半円の凸部を並列して多数形成した寝具の構成によって達成できる。
【００１０】
本発明の前記課題は、紙繊維、天然繊維、合成繊維などの通気性の布地の細長い袋を形成し、この袋内に木炭、竹炭の粉末、破片などを充填して丸棒を型造りし、他方、天然綿、合成綿などを詰めたシート状のニードル加工綿の所定厚みの蒲団地二枚を重ね、縫い糸によって蛇行させてキルティング加工して縫目を形成して仕切りを設け、縦長部分の両側面で交互に開口するように収納袋を形成し、この二枚の蒲団地によって形成された並列する所定幅の収納袋内に前記丸棒を挿入し、蒲団地の表地表面にほぼ半円の凸部を並列して多数形成したマット、敷蒲団の構成によって達成できる。
【考案の効果】
【００１１】
本考案の寝具は、二枚のニードル加工綿からなる蒲団本体の間に、長手方向に直交して木炭、竹炭などの粉末、破片を充填してある多数の円筒状収納袋を配列してあり、蒲団やマットの表面に人体の背中に横切るように多数配列されるから複数本の竹炭入り丸棒によって指圧効果が発揮され、横に平行に丸棒が配列するので折り畳みにも楽である。不織布などの通気性の布地によって円筒に形成した袋内に竹炭などを充填するから、袋が二重に形成されるので内部の粉末などの拡散が抑制される。
【００１２】
本考案の寝具は、キルティング加工によって縫目を蛇行させて長手方向の側面（図面では上下）に交互に開口部を形成するようにしてあるから、機械によるキルティング工程が一筆書きで可能であり、簡単に縫目（仕切り）を作り得る。この縫目によって作られる収納袋が簡易に形成できる。しかも木炭や竹炭の粉末・破片を充填した丸棒を蒲団本体に形成した収納袋に装填するだけで製造することができる。更に、この丸棒が収納袋に入れた後ヘム加工により移動しないように形成してあるが、丸棒が出し入れ可能にして、蒲団本体の開口部から丸棒を抜き取ることにより蒲団本体を丸洗いすることができる。
【００１３】
本考案は、マイナスイオンを発生する竹炭などを充填した丸棒を蒲団内に配置されるので、睡眠中に精神的安定化を与えるという効能がある。しかも、竹炭の遠赤外線効果により、血液の循環がよくなり、腰痛などの治癒効果がある。特に、下蒲団（裏蒲団地）に硬質性の綿など利用することにより凹凸によるマッサージ効果が発揮される。
この丸棒内に充填する竹炭の他にセラミック、トルマリンなど遠赤外線を輻射する物質やマイナスイオンを発生するものなどを混合してもよいことは当然である。
【考案を実施するための最良の形態】
【００１４】
本考案に係る寝具の実施の形態を図面に基づいて詳細に説明する。
図１は本考案の寝具の１実施の形態を示す一部切欠斜視図である。図２は図１のＡ−Ａ線断面図である。図３は本考案の寝具の収納袋に丸棒を挿入する前の蒲団本体の斜視図である。図４は図３の側面図である。図５は図３のＢ−Ｂ線断面図である。図６は本考案の寝具の蒲団本体の収納袋に挿入する丸棒の斜視図である。図７は本考案の蒲団本体に丸棒を挿入する作業を示す説明図である。図８は本考案寝具の完成品の斜視図である。
【００１５】
本考案の寝具について、図面に示す実施の形態に基づいて説明する。
図１に示されるように天然綿、ポリエステル加工綿などの合成綿などを内部に詰めたシート状のニードル加工綿シートの表蒲団２と裏蒲団３を張り合わせ、周囲を仮縫製して蒲団本体１を形成する。この表蒲団２の表側と裏蒲団３の下側には図面に示されていないが当然通常の布地がそれぞれ被覆されている。そして表蒲団２、裏蒲団３の全体が布地によって被覆されている。この蒲団本体１の表面からミシンなどの機械により所定の間隔で蛇行しながら単線または複線の縫目４を形成する。この間隔は特に規定するものではないが、長さ２４０ｃｍの蒲団本体１では幅７〜８ｃｍ位が適当である。この幅にすると全体で細長い収納袋６が２９列できる。
【００１６】
図３に示すように蒲団本体１の長手方向の両側面、すなわち、図３の上側と下側に交互に開口部５ができるように縫目４（仕切り用）が形成されている。蒲団本体１の上側及び下側の側面の長い仮縫い糸を除去して縫目４によって仕切られた二枚のニードル加工綿によって形成される収納袋６の開口部５を形成する。
図７に示されるようにこの収納袋６内に丸棒７を挿入する。この丸棒７としては通気性のある紙繊維、不織布、織物の天然繊維、合成繊維によって円筒状に形成した布地の袋に竹炭などの炭の粉末、破片を充填したものである。炭としては特に限定されるものではないが、癒し効果を発揮するものとして竹炭が好適である。この長さは約８０ｃｍ，太さは約１〜４ｃｍが適当である。
【実施例１】
【００１７】
・竹炭敷パット
大きさ  横１１０×縦２４０ｃｍ，
中綿    ニードル加工綿５０％  ポリエステル綿５０％
縫目間隔  ７.４ｍｍによってキルティングする
丸棒：  竹炭の粉末を充填し、径１５ｍｍ，長さ８０ｃｍである。
全体をカバー布地で被覆する。
【実施例２】
【００１８】
・竹炭敷蒲団
大きさ  横１００×縦２００ｃｍ
中綿    ニードル加工綿５０％  ポリエステル綿５０％、
ハードタイプ固綿を使用。
縫目間隔  ７.４ｍｍ
丸棒    竹炭使用、径１０ｍｍ，長さ８０ｃｍ
裏地    不織布
全体をカバー布地で被覆する。
【図面の簡単な説明】
【００１９】
【図１】本考案の寝具の１実施の形態を示す一部切欠斜視図である。
【図２】図１のＡ−Ａ線断面図である。
【図３】本考案の寝具の収納袋に丸棒を挿入する前の蒲団本体の斜視図である。
【図４】図３の側面図である。
【図５】図３のＢ−Ｂ線断面図である。
【図６】本考案の寝具の蒲団本体の収納袋に挿入する丸棒の斜視図である。
【図７】本考案の蒲団本体に丸棒を挿入する作業を示す説明図である。
【図８】本考案寝具の１実施形態の完成品の斜視図である。
【符号の説明】
【００２０】
１    蒲団本体
２    表蒲団
３    裏蒲団
４    縫目
５    収納袋
６    開口部
７    丸棒
８    竹炭粉末
【図１】
0003103486.tif 000003
【図２】
0003103486.tif 000004
【図３】
0003103486.tif 000005
【図４】
0003103486.tif 000006
【図５】
0003103486.tif 000007
【図６】
0003103486.tif 000008
【図７】
0003103486.tif 000009
【図８】
0003103486.tif 000010